(57)【要約】【課題】裏紙を用いて付加画像を画像形成する場合に、画像形成済みの裏面に付加画像を形成するのには課金しないようにして、付加画像の形成も考慮して画像形成済みでない表面の画像形成に課金できるようにする。【解決手段】裏紙を用いて付加画像を"裏面に印字"する場合は、表面に原稿画像を形成し（ステップＳ１６）、この表面の画像形成に対して課金のために必要な処理を行う（ステップＳ１７）。ここでは、表面の原稿画像の課金において付加画像に応じた課金、具体的には付加画像の色に応じた課金を行う。そして、裏面に付加画像を形成し（ステップＳ１８）、この裏面の画像形成に対して課金のために必要な処理を行う（ステップＳ１９）が、この裏面の画像形成には課金しない。【選択図】図１０
2011201141.tif 000002
【特許請求の範囲】
【請求項１】
印刷媒体の両面に画像形成できる画像形成手段と、
前記画像形成手段で前記印刷媒体に画像形成する場合は当該画像形成に対して課金するために必要な処理を行う処理手段と、
を備え、
前記画像形成手段は、前記印刷媒体の一方の面に画像形成済みの前記印刷媒体を使用して当該印刷媒体の他方の面に画像形成する場合は、前記一方の面には当該面に既に画像形成済みであったことを示す識別表示を画像形成し、
前記処理手段は、前記画像形成手段で一方の面に画像形成済みの前記印刷媒体を使用して当該印刷媒体の他方の面に画像形成する場合は、前記一方の面に対する前記識別表示の画像形成については課金するために必要な処理を行なわず、前記他方の面に対する画像形成において前記識別表示の形成画像に応じて課金するために必要な処理を行なう、
画像形成装置。
【請求項２】
前記処理手段は、前記画像形成手段で一方の面に画像形成済みの前記印刷媒体を使用して当該印刷媒体の他方の面に画像形成する場合は、前記他方の面に対する画像形成において当該他方の面の画像形成の色及び前記識別表示の形成画像の色に応じて課金するために必要な処理を行なう、請求項１に記載の画像形成装置。
【請求項３】
前記処理手段は、前記画像形成手段で一方の面に画像形成済みの前記印刷媒体を使用して当該印刷媒体の他方の面に画像形成する場合は、前記一方の面に対する前記識別表示の画像形成について課金する場合と前記他方の面に対する画像形成について課金する場合とで課金金額が高くなる方の金額となるように、前記他方の面に対する画像形成に対して課金するために必要な処理を行なう、請求項１に記載の画像形成装置。
【請求項４】
印刷媒体の両面に画像形成できる画像形成手段と、
前記画像形成手段で前記印刷媒体に画像形成する場合は当該画像形成に対して課金するために必要な処理を行う処理手段と、
をコンピュータに実行させ、
前記画像形成手段は、前記印刷媒体の一方の面に画像形成済みの前記印刷媒体を使用して当該印刷媒体の他方の面に画像形成する場合は、前記一方の面には当該面に既に画像形成済みであったことを示す識別表示を画像形成し、
前記処理手段は、前記画像形成手段で一方の面に画像形成済みの前記印刷媒体を使用して当該印刷媒体の他方の面に画像形成する場合は、前記一方の面に対する前記識別表示の画像形成については課金するために必要な処理を行なわず、前記他方の面に対する画像形成において前記識別表示の形成画像に応じて課金するために必要な処理を行なう、
コンピュータに読取可能な画像形成制御プログラム。
【発明の詳細な説明】
【技術分野】
【０００１】
本発明は、画像形成装置及び画像形成制御プログラムに関する。
【背景技術】
【０００２】
特許文献１には、用紙の表面、裏面の区別及び裏面の印刷後の隠蔽を容易に行う技術について開示されている。ここでは、通常の画像形成を行った後、用紙を反転して裏面にパターン画像を形成する点が開示されている。
特許文献２には、裏紙の未使用面に原稿画像を印字し、使用済みの面にはその内容を隠蔽するマスク印刷を行う技術について開示されている。
【０００３】
特許文献３には、裏紙の未使用面に原稿画像を印字し、使用済み面には予め受け付けた指定に基づく文字や記号を、予め受け付けた指定に基づくサイズにしたがって印字する裏面無効化手段を有している点について開示されている。
【先行技術文献】
【特許文献】
【０００４】
【特許文献１】特開平０７‐１９９７３８号公報
【特許文献２】特開２００５‐２３１１０７号公報
【特許文献３】特開２００６‐１３０６７４号公報
【発明の概要】
【発明が解決しようとする課題】
【０００５】
本発明の目的は、識別表示を画像形成するために画像形成済みの面に画像形成を行うためには課金しないようにして、当該識別表示の画像形成も考慮して画像形成済みでない面の画像形成に課金できるようにすることである。
【課題を解決するための手段】
【０００６】
請求項１に記載の発明は、印刷媒体の両面に画像形成できる画像形成手段と、前記画像形成手段で前記印刷媒体に画像形成する場合は当該画像形成に対して課金するために必要な処理を行う処理手段と、を備え、前記画像形成手段は、前記印刷媒体の一方の面に画像形成済みの前記印刷媒体を使用して当該印刷媒体の他方の面に画像形成する場合は、前記一方の面には当該面に既に画像形成済みであったことを示す識別表示を画像形成し、前記処理手段は、前記画像形成手段で一方の面に画像形成済みの前記印刷媒体を使用して当該印刷媒体の他方の面に画像形成する場合は、前記一方の面に対する前記識別表示の画像形成については課金するために必要な処理を行なわず、前記他方の面に対する画像形成において前記識別表示の形成画像に応じて課金するために必要な処理を行なう、画像形成装置である。
【０００７】
請求項２に記載の発明は、請求項１に記載の画像形成装置において、前記処理手段は、前記画像形成手段で一方の面に画像形成済みの前記印刷媒体を使用して当該印刷媒体の他方の面に画像形成する場合は、前記他方の面に対する画像形成において当該他方の面の画像形成の色及び前記識別表示の形成画像の色に応じて課金するために必要な処理を行なう。
【０００８】
請求項３に記載の発明は、請求項１に記載の画像形成装置において、前記処理手段は、前記画像形成手段で一方の面に画像形成済みの前記印刷媒体を使用して当該印刷媒体の他方の面に画像形成する場合は、前記一方の面に対する前記識別表示の画像形成について課金する場合と前記他方の面に対する画像形成について課金する場合とで課金金額が高くなる方の金額となるように、前記他方の面に対する画像形成に対して課金するために必要な処理を行なう。
【０００９】
請求項４に記載の発明は、印刷媒体の両面に画像形成できる画像形成手段と、前記画像形成手段で前記印刷媒体に画像形成する場合は当該画像形成に対して課金するために必要な処理を行う処理手段と、をコンピュータに実行させ、前記画像形成手段は、前記印刷媒体の一方の面に画像形成済みの前記印刷媒体を使用して当該印刷媒体の他方の面に画像形成する場合は、前記一方の面には当該面に既に画像形成済みであったことを示す識別表示を画像形成し、前記処理手段は、前記画像形成手段で一方の面に画像形成済みの前記印刷媒体を使用して当該印刷媒体の他方の面に画像形成する場合は、前記一方の面に対する前記識別表示の画像形成については課金するために必要な処理を行なわず、前記他方の面に対する画像形成において前記識別表示の形成画像に応じて課金するために必要な処理を行なう、コンピュータに読取可能な画像形成制御プログラムである。
【発明の効果】
【００１０】
請求項１，４に記載の発明によれば、識別表示を画像形成するために画像形成済みの面に画像形成を行うためには課金しないようにして、当該識別表示の画像形成も考慮して画像形成済みでない面の画像形成に課金できるようにすることができる。
【００１１】
請求項２に記載の発明によれば、画像形成済みでない面の画像形成に際して、新たに形成する画像の色と画像形成済みの面に形成する識別画像の色とに応じて課金できるようにすることができる。
【００１２】
請求項３に記載の発明によれば、画像形成済みでない面の画像形成と画像形成済みの面に対する識別画像の形成とで高いほうの金額で課金できるようにすることができる。
【図面の簡単な説明】
【００１３】
【図１】本発明の一実施の形態である画像形成装置の電気的な接続を示すブロック図である。
【図２】本発明の一実施の形態である画像形成装置の画像形成ユニットの概略構成を示す概念図である。
【図３】本発明の一実施の形態である画像形成装置の画像形成ユニットにおける片面印刷について説明する概念図である。
【図４】本発明の一実施の形態である画像形成装置の画像形成ユニットにおける両面印刷について説明する概念図である。
【図５】本発明の一実施の形態である画像形成装置の裏紙モードについて各種の設定を行う処理のフローチャートである。
【図６】本発明の一実施の形態である画像形成装置の第１操作画面の平面図である。
【図７】本発明の一実施の形態である画像形成装置の第２操作画面の平面図である。
【図８】本発明の一実施の形態である画像形成装置の第３操作画面の平面図である。
【図９】本発明の一実施の形態である画像形成装置の第４操作画面の平面図である。
【図１０】本発明の一実施の形態である画像形成装置で課金処理を伴う画像形成を行う場合の処理のフローチャートである。
【図１１】本発明の一実施の形態である画像形成装置における課金テーブルの説明図である。
【図１２】本発明の一実施の形態である画像形成装置における課金テーブルの他の例の説明図である。
【発明を実施するための形態】
【００１４】
以下、本発明を実施するための一形態について説明する。
図１は、本実施の形態の画像形成装置の電気的な接続を示すブロック図である。この画像形成装置１は、装置全体を集中的に制御する主制御部２と、原稿の画像を読み取る画像読取装置３と、画像読取装置３で読み取った原稿の画像等の画像データに基づいて画像形成を行う画像形成ユニット４と、公衆電話回線８との間でファクシミリデータの送受信を行うファクシミリ制御装置５と、画像データ等の各種データを格納する磁気記憶装置（ＨＤＤ）６と、ユーザから各種操作を受け付け、各種メッセージを表示する操作パネル７と、を備えている。
【００１５】
主制御部２は、各部を集中的に制御するＣＰＵ１１と、ＣＰＵ１１が実行する制御プログラム１２や各種固定データを記憶しているＲＯＭ１３と、ＣＰＵ１１の作業エリアとなるＲＡＭ１４とを備えている。
【００１６】
制御プログラム１２は、画像形成装置１の製造当初からセットアップされているが、後発的にインターネットなどの通信手段を介してダウンロードしてセットアップし、あるいは、後発的に制御プログラム１２を記憶した記憶媒体から読み取ってセットアップするようにしてもよい。
【００１７】
次に、画像形成ユニット４について詳細に説明する。
図２は、画像形成ユニット４の概略構成を示す概念図である。画像形成ユニット４は、電子写真方式、インクジェット方式、又は、その他の印刷方式で用紙などの印刷媒体上に画像形成を行う装置である。以下では、電子写真方式で画像形成を行う例について説明する。
【００１８】
画像形成ユニット４は、電子写真方式で画像形成を行うプリンタエンジン２１を備えている。プリンタエンジン２１では、イエロー（Ｙ）、マゼンタ（Ｍ）、シアン（Ｃ）、ブラック（Ｋ）の各色のトナー画像を電子写真プロセスでそれぞれ形成する４台のユニット２２が並べて設けられている。各ユニット２２が感光体上に形成したトナー画像は転写ベルト３１に重ね合わされて順次転写される。白黒画像の場合は、ブラック（Ｋ）の画像を形成するユニット２２で感光体上に形成したトナー画像のみが転写ベルト３１に転写される。
【００１９】
プリンタエンジン２１の下方には、給紙カセット２３が設けられている。給紙カセット２３内には印刷媒体となる用紙が積層して収納される。給紙カセット２３は一般的には複数台用意されているが、図２では便宜上１台のみを図示している。給紙カセット２３から取り出された用紙は、搬送ローラ２４で搬送経路２５を搬送されて転写ローラ２６で転写ベルト３１上のトナー画像が転写され、定着ローラ３２で定着されて、排出口２７又は２８から装置外部に排出される。手差し給紙部６１は、手差しにより用紙をセットすると、その用紙が搬送ローラ２４により搬送経路２５を搬送されて、転写ローラ２６で転写ベルト３１上のトナー画像が転写され、定着ローラ３２で定着されて、排出口２７又は２８から装置外部に排出される。搬送経路２９は、その両端部が搬送経路２５の上流側と下流側にそれぞれ接続されている。片面に画像形成後の用紙を、搬送経路２５を介して排出口２７，２８側に送り出し、その搬送方向をスイッチバックして搬送経路２９で搬送することで搬送経路２５側に戻して再びプリンタエンジン２１に送ることにより、用紙の両面印刷を行うことができる。
【００２０】
排出口２７と排出口２８は上下２段に配置されている。搬送経路２５の下流側は搬送経路３３と３４に分岐し、それぞれ排出口２７と２８に接続されている。排出口２７，２８の反対側には、排出口３５も設けられている。搬送経路２５と排出口３５は搬送経路３６で接続され、排出口２７と排出口３５とは、搬送経路３７で接続されている。
【００２１】
前述のとおり、画像形成装置１は、複数の排出口２７，２８，３５を有している。これは、印刷要求ごとに画像形成後の用紙の排出口を別にすることにより、異なる印刷要求について画像形成後の用紙が混じり合わないようにするためである。
【００２２】
次に、画像形成ユニット４で画像形成を行う場合の処理について説明する。
まず、用紙に片面印刷を行う場合について説明する。図３に示すように、給紙カセット２３又は手差し給紙部６１の用紙が搬送経路２５でプリンタエンジン２１まで搬送され（矢印（１）（２））、片面にトナー画像が形成され、定着がされると、排出口２７，２８又は３５に向けて搬送されて外部に排出される（矢印（３））。
【００２３】
次に、用紙に両面印刷を行う場合について説明する。図４に示すように、給紙カセット２３又は手差し給紙部６１の用紙が搬送経路２５でプリンタエンジン２１まで搬送され（矢印（１）（２））、片面にトナー画像が形成され、定着がされると、排出口２７に向けて搬送される。そして、上側の排出口２７から用紙の先端側が送り出され（矢印（３））、この用紙Ｐは上側の排紙受け容器６２で受ける。
【００２４】
このように排出口２７から先端側が送り出された用紙を、その尾端側から排出口２７を入口としてスイッチバックして、搬送経路２５，２９を使用してプリンタエンジン２１で他方の面にも画像形成が行えるようにプリンタエンジン２１に向かって搬送し（矢印（４）（５）（６））、裏面にも画像形成を行った上で、排出口２７，２８，３５から排出する（矢印（７））。
【００２５】
このような画像形成装置１において、印刷媒体となる用紙には、すでに片面に画像形成がなされ、裏面が白紙のままの使用済みの用紙（いわゆる裏紙）を用い、白紙のままの面に画像形成する場合がある。このような用紙を用いて白紙のままの面に画像形成すると、両面には互いに無関係の画像が形成されるので、当該画像形成済みの用紙がいわゆる裏紙であったか否かがわからなくなり、また、どちらの面が今回新規に画像形成した有効面であるかもわからなくなってしまうおそれがある。
【００２６】
そこで、画像形成装置１は、このような裏紙に画像形成する場合は、すでに画像形成済みの面（以下、「裏面」という）、又は、白紙のままで新規に画像形成を行う面（以下、「表面」という）に、当該用紙が裏紙を使用して画像形成した印刷物であることを示す識別表示である「付加画像」を画像形成する裏紙モードを備えている。裏紙モードでは、付加画像を裏面に画像形成するか、表面に画像形成するかを選択することができ、付加画像を裏面に画像形成することを選択した場合は、付加画像が形成されている面が裏面、そうでない面が今回新規に画像形成した有効面となる表面であることが分かる。一方、付加画像を表面に画像形成することを選択した場合は、付加画像が形成されていない面が裏面、付加画像が形成されている面が今回新規に画像形成した有効面となる表面であることが分かる。
【００２７】
図５は、この裏紙モードについて各種の設定を行う処理のフローチャートである。ユーザが操作パネル７の操作により管理者モードの中の裏紙モードの設定を選択すると（ステップＳ１のＹ）、図６に示す操作画面（第１操作画面）が表示される（ステップＳ２）。これらの画面はタッチパネルであり、印字しないボタン４１、表面に印字ボタン４２、裏面に印字ボタン４３のいずれかを選択できる。印字しないボタン４１を選択するときは裏紙モードで付加画像は画像形成されないように設定される。表面に印字ボタン４２を選択すると付加画像は用紙の表面に画像形成され、裏面に印字ボタン４３を選択すると付加画像は用紙の裏面に画像形成されるように設定される。付加画像選択ボタン４４は、そのいずれかを選択することにより、付加画像として、「裏紙を使用しています」という「文字列」が画像形成されるか、×印からなる「マーク」が選択されるか、シェードの「パターン」が選択されるか設定することができる。
【００２８】
これらのボタン操作により必要事項が選択されると（ステップＳ３のＹ）、図７に示す操作画面（第２操作画面）、図８に示す操作画面（第３操作画面）又は図９に示す操作画面（第４操作画面）が表示される（ステップＳ４）。第２操作画面は、付加画像として文字列が選択された場合に表示される画面であり、ここでは、大きさ選択ボタン４５、印字色選択ボタン４６、印字位置選択ボタン４７により、付加画像である文字列の「大きさ」（３２ポイントか４８ポイントかなど）、「印字色」（黒かレッドかなど）、「印字位置」（用紙の左上か中央かなど）を選択することができる。大きさの選択は、プラスボタン４８、マイナスボタン４９により１ポイントずつ調整することもできる。
【００２９】
第３操作画面は、付加画像としてマークが選択された場合に表示される画面であり、ここでは、大きさ選択ボタン５１、印字色選択ボタン５２、印字位置選択ボタン５３により、付加画像であるマークの「大きさ」（大か小かなど）、「印字色」（黒かレッドかなど）、「印字位置」（用紙の左上か中央かなど）を選択することができる。
第４操作画面は、付加画像としてパターンが選択された場合に表示される画面であり、ここでは、印字色選択ボタン５４により、「印字色」（黒かレッドかなど）（用紙の左上か中央かなど）を選択することができる。
【００３０】
第２、第３又は第４操作画面で必要事項が選択されると（ステップＳ５のＹ）、その内容で裏紙モードの設定がなされる（ステップＳ６）。なお、かかる裏紙モードの設定処理は、画像形成装置１の管理者が行うようにしているが、一般のユーザが設定できるようにしてもよい。
【００３１】
そして、これらの設定がなされていることを前提として、ユーザが裏紙モードを選択すると、複数段の給紙カセット２３のうち裏紙が収納された給紙カセット２３が選択され、その給紙カセット２３の用紙を使用して画像形成される。すなわち、各給紙カセット２３では、その収納している用紙の紙質を、普通紙、再生紙、上質紙などのように設定することができ、ユーザが裏紙モードを選択した場合は、紙質として裏紙が設定された給紙カセット２３を選択する。なお、裏紙モードが選択されなくても、ユーザが選択した給紙カセット２３の属性が裏紙であった場合にも、裏紙モードを選択した場合と同様の処理が可能である。
【００３２】
具体的な画像形成では、前述の裏紙モードの設定に応じた付加画像の画像形成がなされる。付加画像を表面に印字する設定がなされている場合は、表面に印字するようにユーザが要求した本来の画像と付加画像とを合成した画像が片面印刷により表面に形成される。付加画像を裏面に印字する設定がなされている場合は、表面に印字するようにユーザが要求した本来の画像は表面に画像形成し、付加画像のみを裏面に画像形成するような両面印刷が行われる。
【００３３】
一方、画像形成装置１は、画像形成の実行に対して課金するために必要な処理も行っている。すなわち、実行した画像形成が、白黒画像か、カラー画像（単色カラー又は２色カラー）か、フルカラー画像かにより、その画像種類ごとに画像形成の実行枚数をカウントして不揮発性の記憶装置に記憶しておく等により、後で課金するための課金金額が明らかとなるような情報を保持している。この例では、白黒画像、カラー画像、フルカラー画像ごとに１枚当たりの単価が決まっていて、白黒画像、カラー画像、フルカラー画像の順に単価が漸次高く設定されている。
【００３４】
この例では、課金するために必要な処理としては、後で課金するための課金金額が明らかとなる情報を保持しておくのみであり、決済は例えば１カ月に１回行うなどするが、画像形成後、ただちに課金するようにしてもよい。すなわち、投入した現金やプリペイカードから必要金額を決済する課金装置を画像形成装置１に設け、画像形成の実行に対して課金するために必要な処理として画像形成装置１から課金装置を制御して、１枚画像形成するたびに白黒画像、カラー画像、フルカラー画像のいずれであるかに応じて現金やプリペイカードから必要金額を決済するようにしてもよい。
【００３５】
ところで、裏紙モードで裏面に印字ボタン４３を選択して、付加画像を裏面に形成する場合は、表面にユーザが要求した本来の画像を形成した上で、裏面に付加画像を裏面に形成するという両面印刷になる。そのため、このような裏紙モードでの画像形成に対して課金する場合に、表面の画像形成に課金した上に、裏面に付加画像を形成するだけで当該裏面の画像形成にも課金したのでは、裏紙モードの使用をユーザが敬遠してしまうことになる。
【００３６】
そこで、画像形成装置１では、表面にユーザが要求した本来の画像を形成した上で、裏面に付加画像を裏面に形成するという裏紙モードの場合は、付加画像を形成する場合の裏面の画像形成に対しては何ら課金せず、表面の画像形成に課金するのに際して裏面の付加画像の形成に応じて課金するようにしている。
図１０は、画像形成装置１で課金処理を伴う画像形成を行う場合の処理のフローチャートである。まず、主制御部２は、付加画像の印字指定について判断する（ステップＳ１１）。付加画像の印字指定が付加画像を"印字しない"であった場合は、表面に画像形成し（ステップＳ１２）、この表面の画像形成に対して課金のために必要な処理を行う（ステップＳ１３）。課金のために必要な処理（ステップＳ１３）の詳細は後述のとおりである。
【００３７】
付加画像の印字指定が付加画像を"表面に印字"であった場合は、表面に原稿画像の付加画像を合成した画像を形成し（ステップＳ１４）、この表面の画像形成に対して課金のために必要な処理を行う（ステップＳ１５）。課金のために必要な処理（ステップＳ１５）の詳細は後述のとおりである。
【００３８】
付加画像の印字指定が付加画像を"裏面に印字"であった場合は、表面に原稿画像を形成し（ステップＳ１６）、この表面の画像形成に対して課金のために必要な処理を行う（ステップＳ１７）。課金のために必要な処理（ステップＳ１７）の詳細は後述のとおりである。そして、図４を参照して前述したように矢印（４）（５）（６）の方向に用紙を搬送することで用紙の表裏を反転してプリンタエンジン２１に用紙を送り込むことで裏面に付加画像を形成し（ステップＳ１８）、この裏面の画像形成に対して課金のために必要な処理を行う（ステップＳ１９）。課金のために必要な処理（ステップＳ１９）の詳細は後述のとおりである。
【００３９】
次に、ステップＳ１３，Ｓ１５，Ｓ１７，Ｓ１９における課金のために必要な処理について説明する。
図１１は、課金テーブルの説明図である。課金テーブルは、ＲＯＭ１３などに格納されていて、課金のために必要な処理を行うために１枚の画像を形成した場合の課金の単価を決定する情報が登録されている。すなわち、原稿画像の色が、「白黒」、「単色カラー」、「二色カラー」、「フルカラー」のいずれであるか、また、その原稿画像に付加画像を「合成しない」か、合成する場合は、その画像の色が「白黒」、「単色カラー」、「二色カラー」、「フルカラー」のいずれであるかにより、１枚の画像を形成した場合の課金の単価は、「白黒画像」、「カラー画像」、「フルカラー画像」のいずれかの料金となる。そして、前述したとおり、この単価は、「白黒画像」、「カラー画像」、「フルカラー画像」の順に漸次高く設定されている。なお、「単色カラー」とは、イエロー（Ｙ）、マゼンタ（Ｍ）、又はシアン（Ｃ）の画像であり、「二色カラー」とは、レッド（Ｒ）、グリーン（Ｇ）、又はブルー（Ｂ）の画像である。
【００４０】
具体的には、ステップＳ１３における課金のために必要な処理では、付加画像の合成はないため原稿画像が「白黒画像」であれば課金の単価は「白黒画像」であり、「単色カラー画像」又は「二色カラー画像」であれば課金の単価は「カラー画像」であり、「フルカラー画像」であれば課金の単価は「フルカラー画像」である。そして実行した表面の画像形成が、白黒画像か、カラー画像（単色カラー又は２色カラー）か、フルカラー画像かにより、その画像種類ごとに画像形成の実行枚数をカウントして不揮発性の記憶装置に記憶しておく。
【００４１】
また、ステップＳ１５における課金のために必要な処理では、表面の原稿画像に付加画像が合成され、その付加画像が「白黒画像」であれば、課金の単価はステップＳ１３と同様であるが、付加画像が「単色カラー画像」、「二色カラー画像」の場合は、これより単価が高くなり、「フルカラー画像」の場合はさらに単価が高くなる。この場合の単価は、原稿画像に付加画像が合成された画像が、「白黒画像」、「単色カラー画像」、「二色カラー画像」、「フルカラー画像」のいずれであるかにより、ステップＳ１３における付加画像の合成がない場合の「白黒画像」、「単色カラー画像」、「二色カラー画像」、「フルカラー画像」のそれぞれの対応する単価と同じになる。そして実行した表面の画像形成が、白黒画像か、カラー画像（単色カラー又は２色カラー）か、フルカラー画像かにより、その画像種類ごとに画像形成の実行枚数をカウントして不揮発性の記憶装置に記憶しておく。
【００４２】
ステップＳ１７における課金のために必要な処理では、付加画像は裏面に形成されるので、表面は原稿画像のみの形成であるが、単価の決定に際しては表面に原稿画像と付加画像を合成した画像を形成したと仮定した場合の単価を決定する。よって、この場合の単価は、原稿画像に付加画像が合成されたと仮定した画像が、「白黒画像」、「単色カラー画像」、「二色カラー画像」、「フルカラー画像」のいずれであるかにより、ステップＳ１３における付加画像の合成がない場合の「白黒画像」、「単色カラー画像」、「二色カラー画像」、「フルカラー画像」のそれぞれの対応する単価と同じになる。そして実行した表面の画像形成が、白黒画像か、カラー画像（単色カラー又は２色カラー）か、フルカラー画像かにより、その画像種類ごとに画像形成の実行枚数をカウントして不揮発性の記憶装置に記憶しておく。
【００４３】
ステップＳ１９における課金のために必要な処理では、裏面の付加画像に対応した課金はステップＳ１７の表面の原稿画像の課金において付加画像に応じた課金、具体的には付加画像の色に応じた課金がなされているので、現実には裏面の画像形成に対しては課金を行わない。よって、画像種類ごとに画像形成の実行枚数をカウントすることは現実には行わない。
【００４４】
また、図１１の課金テーブルに代えて図１２の課金テーブルに基づいて課金のために必要な処理を行うようにしてもよい。すなわち、図１２の例では、「白黒」、「単色カラー」、「二色カラー」、「フルカラー」の４つの料金区分を用いていて、実際に画像形成に対して課金される料金は「白黒」、「単色カラー」、「二色カラー」、「フルカラー」の順に高くなる。そして、図１２の例では、表面に形成される画像が「白黒」、「単色カラー」、「二色カラー」、「フルカラー」のいずれであるか、裏面に形成される画像（付加画像）が「白黒」、「単色カラー」、「二色カラー」、「フルカラー」のいずれであるかを判断し、表面の料金区分と裏面の料金区分のうち高いほうの料金区分（同じであればその料金区分）を表面の料金の料金区分とする。例えば、裏面の付加画像の形成が「単色カラー」で行われ、表面の画像形成が「白黒」で行われれば、「単色カラー」の料金区分の方が高いので、表面の画像形成には「単色カラー」で課金する。ここでも、裏面の付加画像の形成に対しては課金しない。
【符号の説明】
【００４５】
１    画像形成装置
４    画像形成ユニット
１２  制御プログラム
【図１】
2011201141.tif 000003
【図２】
2011201141.tif 000004
【図３】
2011201141.tif 000005
【図４】
2011201141.tif 000006
【図５】
2011201141.tif 000007
【図６】
2011201141.tif 000008
【図７】
2011201141.tif 000009
【図８】
2011201141.tif 000010
【図９】
2011201141.tif 000011
【図１０】
2011201141.tif 000012
【図１１】
2011201141.tif 000013
【図１２】
2011201141.tif 000014